(57)【要約】      （修正有）【課題】ＣＰＵ等の収容したコンピュータケース内外の気流を効果的に循環し、放熱効果を向上させた放熱装置及び放熱構造を提供する。【解決手段】コンピュータケース上面及び側面にそれぞれ空気流通孔６１，６２を設けて、上面流通孔上方に外部の気流にさらされる周囲を複数の片体を半開放状に囲んで配置したカバーを設け、その下方の流通孔にファン羽を具えた回転部３１を配置して軸心に回転可能に配置する。外部の気流によってカバーが回転すると、ファンにより外気がケース内に導入され、流通孔６２から排出されてケース内の熱が効果的に排出される。【選択図】図２
0003144048.tif 000002
【実用新案登録請求の範囲】
【請求項１】
コンピュータケースの異なる面に第１の空気流通孔および第２の空気流通孔を設け、
前記第１の空気流通孔又は前記第２の空気流通孔に対応して、外部気流により駆動される機構によりケース内に空気を導入するファンを具えた電力不用放熱装置と、を備えることを特徴とする放熱装置。
【請求項２】
上記電力不用放熱装置の外部気流により駆動される機構は、中空のカバからなり、その周囲を複数の片体を半開放状に等間隔に配列する共に下部に開口部を設けた回転部からなり、
上記ケース内に空気を導入するファンは、前記回転部の前記開口部の一方の端部に配置され、複数の羽根を具えると共に中心部には穿孔を設けて、これらの構成からなる回転部を空気流通孔に回転可能に配置したことを特徴とする、
請求項１に記載の放熱装置。
【請求項３】
前記電力不用放熱装置は、発電装置を備えた転換ユニットを配置して上記電力不用放熱装置の外部気流による駆動にともなって発電することを特徴とする請求項１または２に記載の放熱構造。
【請求項４】
前記電力不用放熱装置は、カバーを有することを特徴とする請求項１または２に記載の放熱構造。
【請求項５】
前記電力不用放熱装置は、前記第１の空気流通孔が前記コンピュータケースの上部に設けられ、前記第２の空気流通孔が前記コンピュータケースの後側の平面上に設けられていることを特徴とする請求項１に記載の放熱構造。
【考案の詳細な説明】
【技術分野】
【０００１】
本考案は、放熱構造に関し、特に、コンピュータケースの放熱構造に関する。
【背景技術】
【０００２】
コンピュータは、高速演算機能を有するＣＰＵなどの周辺機器、インターフェースカード、メモリユニット（ハードディスク）、ＤＶＤ、電源供給器などを密閉型コンピュータケースに配置している。周辺機器および電子デバイスは、作動時に熱を放出するが、特に、高速演算を実行するＣＰＵが最大の発熱源である。そのため、コンピュータ内において、特に、ＣＰＵが演算を実行する際に発生させる熱をいかに効果的に放出するかが解決を待たれる重要な課題の１つとなっていて、複数の放熱装置を装着する方法が多く採用されている。
【０００３】
以下、従来技術を図面に基づいて説明する。図１は、従来技術によるコンピュータケースを示す斜視図である。図１に示すように、従来技術によるコンピュータケース１は、マザーボード２、排気口１１、発熱源２１および放熱ファン２２を具える。排気口１１は、マザーボード２の後側の平面上に設けられている。発熱源２１は、放熱ファン２２を有し、マザーボード２上に配置されている。放熱ファン２２は、気流を形成し、発熱源２１に対して冷却放熱を行なう。放熱ファン２２が発熱源２１を冷却させた後の気流が発熱源２１の周囲で循環し続け、また排気口１１から離れているため、排気口１１上に別個の排気ファン１３を装着して熱を電子機器ケース１から放熱する必要があった。
【０００４】
従来技術によるコンピュータケースは、周辺機器および電子デバイスが作動する際に放出する熱がコンピュータケース内に留まるだけでなく、発熱源が複数存在するため、温室効果が起こり、別個の排気ファンを設けて強制的に内部と外部の気流の対流を行なう必要があった。しかし、別個の排気ファン設けることは、パソコンの電力を余分に消費することになり、電力供給システムの電圧不安定を引き起こした。以上のように、従来技術には、以下の３つの欠点が存在した。第１に、放熱効果が不良であった。第２に、電力を余分に消費した。第３に、内部と外部の気流対流が不良であった。
【特許文献１】特開２００８−５３５７８号公報
【考案の開示】
【考案が解決しようとする課題】
【０００５】
本考案の目的は、コンピュータケース上に少なくとも１つ配置され、電力不用でコンピュータケースに対して放熱を行ない、節電および放熱の２つの効果を有する放熱装置を提供することにある。
【課題を解決するための手段】
【０００６】
本考案は、上述の目的を達成する放熱構造を提供する。本考案の放熱構造は、第１の空気流通孔および第２の空気流通孔を有するコンピュータケースと、第１の空気流通孔と第２の空気流通孔とのどちらかに対応し、コンピュータケースの内部または外部の気流を排出／吸入し、作動されて回転することにより、コンピュータケースの外部の気流を第１の空気流通孔または第２の空気流通孔のどちらかから排出／吸入する電力不用放熱装置とを備える。外部気流で電力不用放熱装置を動かし、電力不用放熱装置の回転により、外部の冷たい気流がケース内に入り、循環放熱が行なわれ、放熱および節電効果が得られる。
【考案の効果】
【０００７】
本考案のコンピュータケースは、転換ユニットを備えることにより、電力不用放熱装置が発生させたエネルギを電力に転換し、他のデバイスに電力を供給したり保存させたりして節電効果を得ることができる。また、外部気流で電力不用放熱装置を動かし、電力不用放熱装置の回転により、外部の冷たい気流がケース内に採り込まれ、循環放熱が行なわれるため、良好な放熱効果得られ、内部および外部の気流の対流が効果的に行なわれる。
【考案を実施するための最良の形態】
【０００８】
以下、本考案の実施形態を図面に基づいて説明する。図２は、本考案の一実施形態によるコンピュータケースを示す分解斜視図である。図３は、本考案の一実施形態によるコンピュータケースを示す斜視図である。図４は、本考案の一実施形態によるコンピュータケースを示す斜視図である。図５は、電力不用放熱装置を示す拡大図である。図６は、本考案の一実施形態によるコンピュータケースを示す斜視図である。図７は、電力不用放熱装置を示す拡大図である。図８は、本考案の一実施形態によるコンピュータケースを示す斜視図である。図２〜図８に示すように、本考案の一実施形態によるコンピュータケース６は、少なくとも１つの電力不用放熱装置３および電力不用放熱装置３を保護するカバー４を具える。コンピュータケース６は、外部気流８で電力不用放熱装置３を動かし、電力不用放熱装置３の回転により、外部の冷たい気流８がケース内に入り、循環放熱が行なわれ、放熱および節電効果が得られる。そのため、本実施形態によるコンピュータケース６は、従来技術における電力の余分な消費および内部と外部の気流対流の不良という短所を改善することができる。
【０００９】
本考案の一実施形態による電力不用放熱装置３は、回転部３１および固定部３２からなる。回転部３１は、中空のカバーで、周囲を複数の片体が半開放状で、等間隔に配列されている。回転部３１の下部が開口部３１１で、ファン３１２が配置されている。ファン３１２は、複数の羽根３１２１を有し、ファン３１２の中心部には穿孔３１２２が設けられている。固定部３２は、軸心３２１が延伸しており、穿孔３１２２を貫通して回転部３１と枢着する。
【００１０】
コンピュータケース６は、電力不用放熱装置３が配置される場所に対応するように第１の空気流通孔６１が設けられている。その後の平面上に少なくとも１つの第２の空気流通孔６２が設けられ、内部の気流を排出する。マザーボード７は、コンピュータケース６内に配置され発熱源７１を有する。発熱源７１の上方にファン７２１を有する放熱モジュール７２が配置されている。
【００１１】
発熱源７１が熱エネルギを発生すると、発熱源７１の上方の放熱モジュール７２のファン７２１が気流を起こし、発熱源７１に対して放熱が行なわれる。この時、放熱には２つのルートがある。第１に、カバ４から外部の冷たい気流８を採り込み、電力不用放熱装置３の回転部３１を作動させてファン３１２を回転させると、気流８がコンピュータケース６内部に入る。電力不用放熱装置３は、コンピュータケース６内部の熱気流９の流動を加速させ、第２の空気流通孔６２から外部に放出して循環放熱効果を得る。そのため、コンピュータケース６内部の温度は、下降する。第２に、コンピュータケース６内部の発熱源７１およびその他の電子デバイスが発生させる熱気流９は、上昇し、放熱装置３の回転部３１を直接回転させる。回転部３１のファン３１２が回転すると、コンピュータケース６の外部に熱を排出する。電力不用放熱装置３は、コンピュータケース６内部の熱気流９の流動を加速させるだけでなく、コンピュータケース６の熱気流９を第２の空気流通孔６２から排出して循環放熱効果を得る。そのため、コンピュータケース６内部の温度は、下降する。
【００１２】
また、電力不用放熱装置３またはコンピュータケース６に転換ユニット５を配置することができる。電力不用放熱装置３が作動すると、転換ユニット５は、回転させられ、電力不用放熱装置３が発生させたエネルギを電力に転換し、導線５１を介して他のデバイスに電力を出力し、使用または保存に供する。これにより、従来技術における電力消費という短所を改善し、電力供給を行なうことにより節電効果を得ることができる。
【００１３】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１４】
【図１】従来技術によるコンピュータケースを示す斜視図である。
【図２】本考案の一実施形態によるコンピュータケースを示す分解斜視図である。
【図３】本考案の一実施形態によるコンピュータケースを示す斜視図である。
【図４】本考案の一実施形態によるコンピュータケースを示す斜視図である。
【図５】電力不用放熱装置を示す拡大図である。
【図６】本考案の一実施形態によるコンピュータケースを示す斜視図である。
【図７】電力不用放熱装置を示す拡大図である。
【図８】本考案の一実施形態によるコンピュータケースを示す斜視図である。
【符号の説明】
【００１５】
３  電力不用放熱装置
４  カバ
５  転換ユニット
６  コンピュータケース
７  マザーボード
８  気流
９  熱気流
３１  回転部
３２  固定部
５１  導線
６１  第１の空気流通孔
６２  第２の空気流通孔
７１  発熱源
７２  放熱モジュール
３１１  開口部
３１２  ファン
３２１  軸心
７２１  ファン
３１２１  羽根
３１２２  穿孔
【図１】
0003144048.tif 000003
【図２】
0003144048.tif 000004
【図３】
0003144048.tif 000005
【図４】
0003144048.tif 000006
【図５】
0003144048.tif 000007
【図６】
0003144048.tif 000008
【図７】
0003144048.tif 000009
【図８】
0003144048.tif 000010